(57)【要約】      （修正有）【課題】介護者の身体的な負担を大幅に軽減することができ、例えばベットと車椅子の間の空間に容易に挿入することができる小型且つ簡便な構造であり、さらに被介護者が椅子に座った時に該椅子の位置がずれたり転倒することを防止できる椅子を提供する。【解決手段】本椅子は、人が着席する座席部と、前記座席部に接続され複数の脚の少なくとも１つ以上に回動手段が備えられた脚部とを有することを特徴とする。【選択図】図４
0003158833.tif 000002
【実用新案登録請求の範囲】
【請求項１】
人が着席する座席部と、
前記座席部に接続され複数の脚の少なくとも１つ以上に回動手段が備えられた脚部とを有すること
を特徴とする椅子。
【請求項２】
人が着席する座席部と、
前記座席部と係合し、所定の伸縮性を有する伸縮部と、
前記伸縮部と係合し、床面に当接する複数の脚が設けられた第１の脚部と、
前記伸縮部及び前記第１の脚部を介して前記座席部に接合し、係留板が備えられた第２の脚部とを有し、
前記座席部に前記人が着席すると前記伸縮部が縮んで前記座席部が降下し前記係留板が床面に当接し、前記座席部から前記人が離席すると前記伸縮部が伸びて前記座席部が上昇し前記係留板が前記床面から離間すること
を特徴とする椅子。
【請求項３】
人が着席する座席部と、
前記座席部と接合し、所定の伸縮性を有する伸縮部材を備え床面に当接する複数の脚が設けられた第１の脚部と、
前記第１の脚部に接合し、係留板が備えられた第２の脚部とを有し、
前記座席部に前記人が着席すると前記伸縮部材が縮んで前記座席部が降下し前記係留板が床面に当接し、前記座席部から前記人が離席すると前記伸縮部材が伸びて前記座席部が上昇し前記係留板が前記床面から離間すること
を特徴とする椅子。
【請求項４】
前記第２の脚部は、前記第１の脚部及び前記伸縮部を貫通して前記座席部に接合していること
を特徴とする請求項２に記載の椅子。
【請求項５】
前記第２の脚部は、前記第１の脚部に接合していること
を特徴とする請求項３に記載の椅子。
【請求項６】
前記係留板は、前記床面に当接する部分が円形状、楕円形状、矩形状、多角形状、又はそれらの形状の組み合わせから形成されていること
を特徴とする請求項２又は請求項３に記載の椅子。
【請求項７】
前記第１の脚部は、前記複数の脚の少なくとも１つ以上に回動手段が備えられていること
を特徴とする請求項２又は請求項３に記載の椅子。
【請求項８】
前記回動手段は、車輪、ボール、又はそれらの組み合わせから成ること
を特徴とする請求項１又は請求項７に記載の椅子。
【請求項９】
前記座席部又は前記脚部は、前記座席部の座高を調整する高さ調整機構を備えていること
を特徴とする請求項１に記載の椅子。
【請求項１０】
前記座席部又は前記第１の脚部は、前記人が腰を掛ける前の前記座席部の座高を調整する高さ調整機構を備えていること
を特徴とする請求項２又は請求項３に記載の椅子。
【請求項１１】
前記第２の脚部は、前記人が腰を掛けた後の前記座席部の座高を調整する高さ調整機構を備えていること
を特徴とする請求項２又は請求項３に記載の椅子。
【請求項１２】
前記伸縮部は、ゴム、バネ、又はそれらの組み合わせから成ること
を特徴とする請求項２に記載の椅子。
【請求項１３】
前記伸縮部材は、ゴム、バネ、又はそれらの組み合わせから成ること
を特徴とする請求項３に記載の椅子。
【請求項１４】
前記座席部は、所定の範囲で回動すること
を特徴とする請求項１乃至請求項３のいずれか一項に記載の椅子。
【請求項１５】
前記座席部は、所定の角度の傾斜を設けられていること
を特徴とする請求項１乃至請求項３のいずれか一項に記載の椅子。
【考案の詳細な説明】
【技術分野】
【０００１】
本考案は、例えば被介護者がベットから車椅子に移動する際に一時的に座る介護用の椅子に関する。
【背景技術】
【０００２】
従来、被介護者を移乗可能な介護用の補助装置に関し、被介護者に負担をかけることなく、ベットと車椅子との間で被介護者を移乗させる際に介護者の肉体的な負担を軽減する構成がある（例えば、特許文献１参照。）。
【先行技術文献】
【特許文献】
【０００３】
【特許文献１】特開２００１−１２９０３３号公報
【考案の概要】
【考案が解決しようとする課題】
【０００４】
しかしながら、前述の構成では、装置が大型且つ複雑な構造であることから、ベットと車椅子の間の空間に装置を挿入することが難しい場合が有り、且つ介護者が装置の操作に慣れていないと被介護者が上手く移乗できない問題点が有った。
【０００５】
そこで、本考案は前述の技術的な課題に鑑み、介護者の身体的な負担を大幅に軽減することができ、例えばベットと車椅子の間の空間に容易に挿入することができる小型且つ簡便な構造であり、さらに被介護者が椅子に座った時に該椅子の位置がずれたり転倒することを防止できる椅子の提供を目的とする。
【課題を解決するための手段】
【０００６】
前述の課題を解決すべく、本考案に係る椅子は、人が着席する座席部と、前記座席部に接続され複数の脚の少なくとも１つ以上に回動手段が備えられた脚部とを有することを特徴とする。
【０００７】
また、本考案に係る椅子は、人が着席する座席部と、前記座席部と係合し、所定の伸縮性を有する伸縮部と、前記伸縮部と係合し、床面に当接する複数の脚が設けられた第１の脚部と、前記伸縮部及び前記第１の脚部を介して前記座席部に接合し、係留板が備えられた第２の脚部とを有し、前記座席部に前記人が着席すると前記伸縮部が縮んで前記座席部が降下し前記係留板が床面に当接し、前記座席部から前記人が離席すると前記伸縮部が伸びて前記座席部が上昇し前記係留板が前記床面から離間することを特徴とする。
【０００８】
さらに、本考案に係る椅子は、人が着席する座席部と、前記座席部と接合し、所定の伸縮性を有する伸縮部材を備え床面に当接する複数の脚が設けられた第１の脚部と、前記第１の脚部に接合し、係留板が備えられた第２の脚部とを有し、前記座席部に前記人が着席すると前記伸縮部材が縮んで前記座席部が降下し前記係留板が床面に当接し、前記座席部から前記人が離席すると前記伸縮部材が伸びて前記座席部が上昇し前記係留板が前記床面から離間することを特徴とする。
【考案の効果】
【０００９】
本考案に係る椅子によれば、介護者の身体的な負担を大幅に軽減することができ、例えばベットと車椅子の間の空間に容易に挿入することができる小型且つ簡便な構造とし、さらに被介護者が椅子に座った時に該椅子の位置がずれたり転倒することを防止できる。
【図面の簡単な説明】
【００１０】
【図１】本考案の第１の実施形態の椅子に人が着席している状態を示す斜視図である。
【図２】本考案の第１の実施形態の椅子を各構成に分解した状態を示す斜視図である。
【図３】本考案の第１の実施形態の椅子を示す構成図であり、(ａ)は椅子を上面から見た場合の構成図、(ｂ)は椅子を側面から見た場合の構成図である。
【図４】本考案の第２の実施形態の椅子に人が着席している状態を示す斜視図である。
【図５】本考案の第２の実施形態の椅子を各構成に分解した状態を示す斜視図である。
【図６】本考案の第２の実施形態の椅子の座席部に人が着席しておらず伸縮部が伸び座席部が上昇した状態であり係留板が床面から離間している椅子を示す構成図であり、(ａ)は椅子を上面から見た場合の構成図、(ｂ)は椅子を側面から見た場合の構成図である。
【図７】本考案の第２の実施形態の椅子の座席部に人が着席することにより伸縮部が縮み座席部が降下した状態であり係留板が床面に当接している椅子を示す構成図であり、(ａ)は椅子を上面から見た場合の構成図、(ｂ)は椅子を側面から見た場合の構成図である。
【図８】本考案の第３の実施形態の椅子に人が着席し床面を践んでいる状態を示す斜視図である。
【図９】本考案の第３の実施形態の椅子に人が着席し係留板をつま先で践んでいる状態を示す斜視図である。
【図１０】本考案の第３の実施形態の椅子を各構成に分解した状態を示す斜視図である。
【図１１】本考案の第３の実施形態の椅子の座席部に人が着席しておらず伸縮部が伸び座席部が上昇した状態であり係留板が床面から僅かに離間している椅子を示す構成図であり、(ａ)は椅子を上面から見た場合の構成図、(ｂ)は椅子を側面から見た場合の構成図である。
【図１２】本考案の第３の実施形態の椅子の座席部に人が着席することにより伸縮部が縮み座席部が降下した状態であり係留板が床面に当接している椅子を示す構成図であり、(ａ)は椅子を上面から見た場合の構成図、(ｂ)は椅子を側面から見た場合の構成図である。
【図１３】本考案の第４の実施形態の椅子に人が着席し床面を践んでいる状態を示す斜視図である。
【図１４】本考案の第４の実施形態の椅子に人が着席し係留板をつま先で践んでいる状態を示す斜視図である。
【図１５】本考案の第４の実施形態の椅子を各構成に分解した状態を示す斜視図である。
【図１６】本考案の第４の実施形態の椅子の座席部に人が着席しておらず第１の脚部に備えられた伸縮部材が伸び座席部が上昇した状態であり係留板が床面から僅かに離間している椅子を示す構成図であり、(ａ)は椅子を上面から見た場合の構成図、(ｂ)は椅子を側面から見た場合の構成図である。
【図１７】本考案の第４の実施形態の椅子の座席部に人が着席することにより第１の脚部に備えられた伸縮部材が縮み座席部が降下した状態であり係留板が床面に当接している椅子を示す構成図であり、(ａ)は椅子を上面から見た場合の構成図、(ｂ)は椅子を側面から見た場合の構成図である。
【考案を実施するための形態】
【００１１】
以下、本考案の椅子に係る好適な実施形態について、図面を参照しながら説明する。なお、本考案の椅子は、以下の記述に限定されるものではなく、本考案の要旨を逸脱しない範囲において、適宜変更可能である。
【００１２】
なお、以下の説明においては、最初に本考案の第１の実施形態の椅子１の構成及び使用方法について図１乃至図３を参照しながら説明する。次に本考案の第２の実施形態の椅子２の構成及び使用方法について図４乃至図７を参照しながら説明する。さらに本考案の第３の実施形態の椅子３の構成及び使用方法について図８乃至１２を参照しながら説明する。最後に本考案の第４の実施形態の椅子４の構成及び使用方法について図１３乃至１７を参照しながら説明する。
【００１３】
［第１の実施形態］
以下、本考案に係る椅子１の構成について図２及び図３等を参照しながら具体的に説明した上で、椅子１の使用方法について図１及び図３等を参照しながら具体的に説明する。
【００１４】
先ず、第１の実施形態の椅子１の構成に関し、例えば図２に示すように、椅子１は、人が着席する座席部１０と、座席部１０に接続され複数の脚の少なくとも１つ以上に回動手段が備えられた脚部２０から構成される。
【００１５】
ここで、椅子１の座席部１０の構成に関し、座席部１０は、例えば図３に示すように、座席１１、回転台１２、上部支持柱１３、下部支持柱１４、及び高さ調整器１５から構成される。以下、座席部１０の各構成部材について説明する。座席部１０の座席１１は、例えば木材やプラスチックスから成り、例えば４隅がそれぞれ丸められた板状から形成されている。なお、座り心地を良くするために、座席１１の上部に、例えば低反発ウレタンから成るクッション材を設けても良い。また、座席１１は、床面に対して水平になるように設けても良いが、例えば後方部１１Ｂに対して前方部１１Ａが高くなるように、床面に対して数度傾斜を設け、被介護者が前方に転倒することを防止する。
【００１６】
また、椅子１の座席部１０の構成に関し、回転台１２は、例えばアルミニウムから成り、例えば円筒形状から形成されている。この様な回転台１２は、座席１１の裏面の中央部に例えば接着剤を用いて接合され、後述する上部支持柱１３を挿入している。ここで、回転台１２の側面には、上部支持柱１３の外周部に設けられた外周溝に対応する様にネジ孔が設けられ、回転台１２の該ネジ孔にセットスクリューを挿入し、セットスクリューの先端が上部支持柱１３の外周溝に一定の圧力で当接するように設けられている。この様な構成により、座席１１が回転台１２を介して上部支持柱１３に対し回動可能に設けられている。
【００１７】
さらに、椅子１の座席部１０の構成に関し、上部支持柱１３は、例えばステンレスから成り、例えば円柱形状から形成されている。この様な上部支持柱１３は、前述したように回転台１２に回動可能に係合されている。なお、上部支持柱１３の下端の外周には後述する高さ調整器１５を接続するための例えばネジ山が形成されている。また、座席部１０の下部支持柱１４は、上部支持柱１３と同様に、例えばステンレスから成り、例えば円柱形状から形成されている。この様な下部支持柱１４の上端の外周には後述する高さ調整器１５を接続するための例えばネジ山が形成されている。
【００１８】
同様に、椅子１の座席部１０の構成に関し、高さ調整器１５は、例えばアルミニウムから成り、例えば円筒形状から形成されている。なお、高さ調整器１５の上端の内周には上部支持柱１３を接続するための例えばネジ孔が形成され、高さ調整器１５の下端の内周にも下部支持柱１４を接続するための例えばネジ孔が形成されている。この様な高さ調整器１５を所定の方向に回動させることにより、座席部１１の座高を調整することができる。なお、高さ調整器１５は、上記の構成に限定されることはなく、例えば手動の油圧式シリンダーを用いたり、電動式ジャッキを用いる構成としても良い。
【００１９】
また、椅子１の脚部２０の構成に関し、脚部２０は、例えば図３に示すように、座席部支持部材２１、回動脚２２、及び固定脚２３から構成される。以下、脚部２０の各構成部材について説明する。脚部２０の座席部支持部材２１は、例えばアルミニウムから成り、例えば円柱形状から形成されている。ここで、座席部支持部材２１の上部の中央には下部支持柱１４の下端を挿入して接続する所定の深さの孔が形成されている。なお、座席部支持部材２１の側面には、下部支持柱１４の下端の外周部に設けられた外周溝に対応する様にネジ孔が設けられ、座席部支持部材２１の該ネジ孔にセットスクリューを挿入し、セットスクリューの先端が下部支持柱１４の外周溝を付勢するように設けられている。この様な構成により、下部支持柱１４が座席部支持部材２１に固定されている。なお、座席部支持部材２１に、前述した高さ調整器１５の構造を付加しても良い。
【００２０】
さらに、椅子１の脚部２０の構成に関し、例えば図３に示すように、例えば２個の回動脚２２の上端２２Ａと１個の固定脚２３の上端２３Ａが、座席部支持部材２１の側面に形成された孔にそれぞれ所定の角度で挿入され、例えばネジ留めされている。ここで、回動脚２２は、例えばステンレスから成り、例えば角柱形状から形成されている。なお、回動脚２２の下端２２Ｂには、例えば車輪２２Ｃが回動可能に備え付けられている。また固定脚２３は、回動脚２２と同様に、例えばステンレスから成り、例えば角柱形状から形成されている。なお、固定脚２３の接地端２３Ｂの裏面には、例えば滑り止めのゴムから成るパットを装着しても良い。
【００２１】
次に、第１の実施形態の椅子１の使用方法に関し、椅子１をベットと車椅子の間に移動させる場合には、座席１１の後方部１１Ｂを手で掴んで少し持ち上げ、脚部２０の固定脚２３の接地端２３Ｂを床面から離間させる。このとき、脚部２０の回動脚２２に備え付けられた車輪２２Ｃが床面に回動可能に当接していることから、力を要することなく、椅子１をベットと車椅子の間に移動させることができる。さらに、例えば図１に示すように、被介護者がベットから椅子１に移乗して座席１１に着席すると、被介護者の自重により、脚部２０の固定脚２３の接地端２３Ｂで床面が付勢されることにより、椅子１が床面に固定される。
【００２２】
以上、第１の実施形態の椅子１によれば、座席１１の後方部１１Ｂを手で掴んで少し持ち上げ、脚部２０の回動脚２２の車輪２２Ｃを回動させることより、力を要することなく椅子１を移動させることができる。一方、被介護者が椅子１の座席１１に着席すると、脚部２０の固定脚２３の接地端２３Ｂで床面が付勢され、椅子１が床面に固定される。この様に、本考案に係る椅子１によれば、被介護者をベットから椅子１を介して車椅子に移乗させることにより介護者の身体的な負担を大幅に軽減することができ、且つ該椅子１を小型且つ非常に簡便な構造とすることができ、さらに被介護者が椅子１に座った時に該椅子１の位置がずれたり転倒することを防止できる。
【００２３】
［第２の実施形態］
以下、本考案に係る椅子２の構成について図５乃至図７等を参照しながら具体的に説明した上で、椅子２の使用方法について図４、図６、及び図７等を参照しながら具体的に説明する。
【００２４】
なお、第２の実施形態の椅子２においては、座席部３０に人が着席すると第２の脚部６０に備えられた係留板６１が床面に当接し、座席部３０から人が離席すると該係留板６１が床面から離間することに特徴を有している。また、それ以外の椅子２に係る構成は、基本的に第１の実施形態で述べた椅子１の構成と同様である。このため、第２の実施形態においては、第１の実施形態と異なる構成を中心に具体的に説明する。
【００２５】
先ず、第２の実施形態の椅子２の構成に関し、例えば図５に示すように、椅子２は、人が着席する座席部３０と、座席部３０と係合し所定の伸縮性を有する伸縮部４０と、伸縮部４０と係合し床面に当接する複数の脚が設けられた第１の脚部５０と、伸縮部４０及び第１の脚部５０を介して座席部３０に接合し係留板６１が備えられた第２の脚部６０から構成される。
【００２６】
ここで、椅子２の座席部３０の構成に関し、座席部３０は、第１の実施形態の椅子１の座席部１０に相当し、例えば図６に示すように、座席３１、回転台３２、上部支持柱３３、下部支持柱３４、高さ調整器３５、及び支持台３６から構成される。以下、座席部３０に係る第２の実施形態に特有の支持台３６について説明する。支持台３６は、例えばアルミニウムから成り、例えば円柱形状から形成されている。ここで、支持台３６の上部の中央には下部支持柱３４の下端を挿入して接続する所定の深さの孔が形成されている。なお、支持台３６の側面には、下部支持柱３４の下端の外周部に設けられた外周溝に対応する様にネジ孔が開けられ、支持台３６の該ネジ孔にセットスクリューを挿入し、セットスクリューの先端が下部支持柱３４の外周溝に付勢するように設けられている。
【００２７】
また、椅子２の伸縮部４０の構成に関し、伸縮部４０は、第１の実施形態にはない構成であり、例えば伸縮性を有するゴムから成り、例えば円筒形状から形成されている。この様な伸縮部４０の上面には、前述した座席部３０の支持台３６が係合されている。また伸縮部４０の下面には、後述する第１の脚部５０の伸縮部支持部材５１が係合されている。さらに、伸縮部４０の中央に設けられた孔には、後述する第２の脚部６０の支持柱６２が挿入されている。なお、伸縮部４０は、ゴムに限定されることはなく、例えばバネを用いても良い。
【００２８】
また、椅子２の第１の脚部５０の構成に関し、第１の脚部５０は第１の実施形態の椅子１の脚部２０に相当し、例えば図６に示すように、伸縮部支持部材５１、回動脚５２、及び固定脚５３から構成される。なお、例えば３個の回動脚５２の上端５２Ａと１個の固定脚５３の上端５３Ａが、伸縮部支持部材５１の側面に形成された孔に所定の角度で挿入され、例えばネジ留めされている。
【００２９】
さらに、椅子２の第２の脚部６０の構成に関し、第２の脚部６０は第１の実施形態にはない構成であり、例えば図６に示すように、係留板６１及び支持柱６２から構成される。ここで、係留板６１は、例えばステンレスから成り、床面に当接する部分が円形状から形成されている。また、係留板６１は、座席部３０に人が着席していない時には、伸縮部４０が伸びて座席部３０が上昇していることから、床面から離間している。また、支持柱６２は、例えばアルミニウムから成り、例えば円柱形状から形成されている。この様な支持柱６２の下部には例えばネジ山が形成され、係留板６１に接続されている。また支持柱６２の上部にも例えばネジ山が形成され、第１の脚部５０の伸縮部支持部材５１及び伸縮部４０を貫通して、座席部３０の支持台３６の下部に設けられたネジ孔に接続されている。なお、支持柱６２に、前述した高さ調整器１５の構造を付加しても良い。
【００３０】
次に、第２の実施形態の椅子２の使用方法に関し、椅子２をベットと車椅子の間に移動させる場合には、第２の脚部６０の係留板６１の一端が床面に接触しない程度に、座席３１の後方部３１Ｂを手で掴んで少し持ち上げ、第１の脚部５０の固定脚５３の接地端５３Ｂを床面から離間させる。このとき、第１の脚部５０の回動脚５２に備え付けられた車輪５２Ｃが床面に回動可能に当接していることから、力を要することなく、椅子２をベットと車椅子の間に移動させることができる。さらに、例えば図４及び図７に示すように、被介護者がベットから椅子２に移乗して座席３１に着席すると、被介護者の自重により、第１の脚部５０の固定脚５３の接地端５３Ｂで床面が付勢されることにより、椅子２が床面に固定される。
【００３１】
また、第２の実施形態の椅子２の使用方法に関し、例えば図７に示すように、座席部３０に人が着席すると伸縮部４０が縮んで座席部３０が降下し第２の脚部６０の係留板６１が床面に当接して付勢することにより、椅子２が床面に対して十分に固定される。
【００３２】
以上、第２の実施形態の椅子２によれば、座席３１の後方部３１Ｂを手で掴んで少し持ち上げ、第１の脚部５０の回動脚５２の車輪５２Ｃを回動させることより、力を要することなく椅子２を移動させることができる。一方、被介護者が椅子２の座席３１に着席すると、第１の脚部５０の固定脚５３の接地端５３Ｂで床面が付勢され、且つ第２の脚部６０の係留板６１で床面が付勢されることにより、椅子２が床面に対して十分に固定される。この様に、本考案に係る椅子２によれば、被介護者をベットから椅子２を介して車椅子に移乗させることにより介護者の身体的な負担を大幅に軽減することができ、且つ該椅子２を小型且つ簡便な構造とすることができ、さらに被介護者が椅子２に座った時に該椅子２の位置がずれたり転倒することを防止できる。また、椅子２が着席時に少し下がるため着席時の衝撃を緩和することができ、椅子２が離席時に少し上がるため介護し易くなる。
【００３３】
［第３の実施形態］
以下、本考案に係る椅子３の構成について図１０乃至図１２等を参照しながら具体的に説明した上で、椅子３の使用方法について図８、図９、図１１、及び図１２等を参照しながら具体的に説明する。
【００３４】
なお、第３の実施形態の椅子３においては、第２の脚部８０に備えられた係留板８１に係る床面に当接する部分の形状が矩形状であり、且つ第１の脚部７０には固定脚は配設されておらず複数の回動脚７２のみが配設されていることに特徴を有している。また、それ以外の椅子３に係る構成は、基本的に第２の実施形態で述べた椅子２の構成と同様である。このため、第３の実施形態においては、第３の実施形態と異なる構成を中心に具体的に説明する。
【００３５】
先ず、第３の実施形態の椅子３の構成に関し、例えば図１０に示すように、椅子３は、人が着席する座席部３０と、座席部３０と係合し所定の伸縮性を有する伸縮部４０と、伸縮部４０と係合し床面に当接する複数の脚が設けられた第１の脚部７０と、伸縮部４０及び第１の脚部７０を介して座席部３０に接合し係留板８１が備えられた第２の脚部８０から構成される。
【００３６】
ここで、椅子３の座席部３０の構成は、椅子２に係る座席部３０の構成と同一である。また、椅子３の伸縮部４０の構成は、椅子２に係る伸縮部４０の構成と同一である。同様に、椅子３の第１の脚部７０では、固定脚は配設されておらず複数の回動脚７２のみが配設されており、それ以外の第１の脚部７０に係る構成は、椅子２に係る第１の脚部５０と同様である。同様に、椅子３の第２の脚部８０では、係留板８１に係る床面に当接する部分の形状が矩形状であり、それ以外の第２の脚部８０に係る構成は、椅子２に係る第２の脚部６０と同様である。なお、係留板８１に係る床面に当接する部分の形状は、矩形状に限定されることはなく、例えば楕円形状、矩形状、多角形状、又はそれらの形状の組み合わせから形成しても良い。
【００３７】
次に、第３の実施形態の椅子３の使用方法に関し、椅子３をベットと車椅子の間に移動させる場合には、第１の脚部７０の回動脚７２に備え付けられた車輪７２Ｃが床面に回動可能に当接していることから、例えば座席３１の任意の箇所を持って軽く押すだけ良い。また、例えば図８及び図１２に示すように被介護者がベットから椅子３に移乗して座席３１に着席すると、被介護者の自重により、伸縮部４０が縮んで座席部３０が降下し第２の脚部８０の係留板８１が床面に当接して付勢することにより、椅子３が十分に床面に固定される。
【００３８】
また、第３の実施形態の椅子３の使用方法に関し、例えば図１２に示すように、隣り合う第１の脚部７０の回動脚７２に備え付けられた車輪７２Ｃに対して、該係留板８１の端部８１Ａが突き出ていることから、被介護者が椅子３でバランスを崩しても、該椅子３が転倒し難い。さらに、例えば図９に示すように、第２の脚部８０の係留板８１が矩形状から成ることから、被介護者が係留板８１を容易に践むことが可能であり、この様に被介護者が係留板８１を践んでいる場合には椅子３が転倒し難い。なお、介護者が係留板８１を践むことにより、椅子３の転倒を防止しても良い。
【００３９】
以上、第３の実施形態の椅子３によれば、例えば座席３１の任意の箇所を持って軽く押すだけで、椅子３を移動させることができる。一方、被介護者が椅子３の座席３１に着席すると、矩形状から成る第２の脚部８０の係留板８１で床面が付勢されることにより、椅子２が床面に対して十分に固定される。また、被介護者や介護者が矩形状から成る第２の脚部８０の係留板８１を容易に践むことが可能であり、椅子３の転倒を防止することができる。この様に、本考案に係る椅子３によれば、被介護者をベットから椅子３を介して車椅子に移乗させることにより介護者の身体的な負担を大幅に軽減することができ、且つ該椅子３を小型且つ簡便な構造とすることができ、さらに被介護者が椅子３に座った時に該椅子３の位置がずれたり転倒することを防止できる。また、椅子３が着席時に少し下がるため着席時の衝撃を緩和することができ、椅子３が離席時に少し上がるため介護し易くなる。
【００４０】
［第４実施形態］
以下、本考案に係る椅子４の構成について図１５乃至図１７等を参照しながら具体的に説明した上で、椅子３の使用方法について図１３、図１４、図１６、及び図１７等を参照しながら具体的に説明する。
【００４１】
なお、第４の実施形態の椅子４においては、第１の脚部９０に所定の伸縮性を有する伸縮部材９３を備えていることに特徴を有している。また、それ以外の椅子４に係る構成は、基本的に第３の実施形態で述べた椅子３の構成と同様である。このため、第４の実施形態においては、第３の実施形態と異なる構成を中心に具体的に説明する。
【００４２】
先ず、第４の実施形態の椅子４の構成に関し、例えば図１５に示すように、椅子４は、人が着席する座席部１０と、座席部１０と接合し所定の伸縮性を有する伸縮部材９３を備え床面に当接する複数の脚が設けられた第１の脚部９０と、第１の脚部９０に接合し係留板１０１が備えられた第２の脚部１００から構成される。
【００４３】
ここで、椅子４の座席部１０の構成は、椅子１に係る座席部１０の構成と同一である。また、第１の脚部９０は、椅子３に係る第１の脚部７０の構成と類似する構造であるが、回動脚９２の下端９２Ｂと車輪９２Ｃとの間に伸縮部材９３が接合されている。この様な伸縮部材９３は、例えば伸縮性を有するゴムから成り、例えば円柱形状から形成されている。なお、伸縮部材９３は、ゴムに限定されることはなく、例えばバネを用いても良い。同様に、第２の脚部１００は、椅子３に係る第２の脚部８０の構成と類似する構造であるが、支持柱１０２の上部は、第１の脚部９０の座席部支持部材９１の下部の中央に設けられた所定の深さの孔に挿入されている。なお、座席部支持部材９１の側面に設けられたネジ孔にセットスクリューを挿入し、該セットスクリューの先端で支持柱１０２の上部を付勢して固定している。
【００４４】
次に、第４の実施形態の椅子４の使用方法に関し、椅子４をベットと車椅子の間に移動させる場合には、第３の実施形態の椅子３と同様に、第１の脚部９０の回動脚９２に備え付けられた車輪９２Ｃが床面に回動可能に当接していることから、例えば座席１１の任意の箇所を持って軽く押すだけ良い。また、例えば図１３及び図１７に示すように、被介護者がベットから椅子４に移乗して座席１１に着席すると、被介護者の自重により、第１の脚部９０に備えられた伸縮部材９３が縮んで座席部１０が降下し第２の脚部１００の係留板１０１が床面に当接して付勢することにより、椅子４が十分に床面に固定される。
【００４５】
また、第４の実施形態の椅子４の使用方法に関し、例えば図１７に示すように、第３の実施形態の椅子３と同様に、隣り合う第１の脚部９０の回動脚９２に備え付けられた車輪９２Ｃに対して、該係留板１０１の端部１０１Ａが突き出ていることから、被介護者が椅子４でバランスを崩しても、該椅子４が転倒し難い。さらに、例えば図１４に示すように、第３の実施形態の椅子３と同様に、第２の脚部１００の係留板１０１が矩形状から成ることから、被介護者が係留板１０１を容易に践むことが可能であり、この様に被介護者が係留板１０１を践んでいる場合には椅子４が非常に転倒し難い。なお、介護者が係留板１０１を践むことにより、椅子４の転倒を防止しても良い。
【００４６】
以上、第４の実施形態の椅子４によれば、第３の実施形態の椅子３と同様に、例えば座席１１の任意の箇所を持って軽く押すだけで、椅子４を移動させることができる。一方、被介護者が椅子４の座席１１に着席すると、第３の実施形態の椅子３と同様に、矩形状から成る第２の脚部１００の係留板１０１で床面が付勢されることにより、椅子３が床面に対して十分に固定される。また、第３の実施形態の椅子３と同様に、被介護者や介護者が矩形状から成る第２の脚部１００の係留板１０１を容易に践むことが可能であり、椅子４の転倒を防止することができる。この様に、本考案に係る椅子４によれば、被介護者をベットから椅子４を介して車椅子に移乗させることにより介護者の身体的な負担を大幅に軽減することができ、且つ該椅子４を小型且つ簡便な構造とすることができ、さらに被介護者が椅子４に座った時に該椅子４の位置がずれたり転倒することを防止できる。また、椅子４が着席時に少し下がるため着席時の衝撃を緩和することができ、椅子４が離席時に少し上がるため介護し易くなる。
【００４７】
なお、上述した第１乃至第４の実施形態においては、椅子を例えば被介護者がベットから車椅子に移動する際に一時的に座るものとしてそれぞれ説明したが、このような形態に限定されることはない。具体的には、例えば該椅子を病院の診察室に設置し、診察のために病人が椅子から診察用ベットに移動する際に用いても良い。
【符号の説明】
【００４８】
１，２，３，４  椅子
１０  座席部
１１  座席
１１Ａ  前方部
１１Ｂ  後方部
１２  回転台
１３  上部支持柱
１４  下部支持柱
１５  高さ調整器
２０  脚部
２１  座席部支持部材
２２  回動脚
２２Ａ  上端
２２Ｂ  下端
２２Ｃ  車輪
２３  固定脚
２３Ａ  上端
２３Ｂ  接地端
３０  座席部
３１  座席
３２  回転台
３３  上部支持柱
３４  下部支持柱
３５  高さ調整器
３６  支持台
４０  伸縮部
５０  第１の脚部
５１  伸縮部支持部材
５２  回動脚
５２Ａ  上端
５２Ｂ  下端
５２Ｃ  車輪
５３  固定脚
５３Ａ  上端
５３Ｂ  接地端
６０  第２の脚部
６１  係留板
６２  支持柱
７０  第１の脚部
７１  伸縮部支持部材
７２  回動脚
７２Ａ  上端
７２Ｂ  下端
７２Ｃ  車輪
８０  第２の脚部
８１  係留板
８１Ａ  端部
８２  支持柱
９０  第１の脚部
９１  座席部支持部材
９２  回動脚
９２Ａ  上端
９２Ｂ  下端
９２Ｃ  車輪
９３  伸縮部材
１００  第２の脚部
１０１  係留板
１０１Ａ  端部
１０２  支持柱
【図１】
0003158833.tif 000003
【図２】
0003158833.tif 000004
【図３】
0003158833.tif 000005
【図４】
0003158833.tif 000006
【図５】
0003158833.tif 000007
【図６】
0003158833.tif 000008
【図７】
0003158833.tif 000009
【図８】
0003158833.tif 000010
【図９】
0003158833.tif 000011
【図１０】
0003158833.tif 000012
【図１１】
0003158833.tif 000013
【図１２】
0003158833.tif 000014
【図１３】
0003158833.tif 000015
【図１４】
0003158833.tif 000016
【図１５】
0003158833.tif 000017
【図１６】
0003158833.tif 000018
【図１７】
0003158833.tif 000019
【手続補正書】
【提出日】平成22年2月15日(2010.2.15)
【手続補正１】
【補正対象書類名】実用新案登録請求の範囲
【補正対象項目名】全文
【補正方法】変更
【補正の内容】
【実用新案登録請求の範囲】
【請求項１】
人が着席する座席部と、
前記座席部に接続され複数の脚の少なくとも１つ以上に回動手段が備えられた脚部とを有すること
を特徴とする椅子。
【請求項２】
人が着席する座席部と、
前記座席部と係合し、所定の伸縮性を有する伸縮部と、
前記伸縮部と係合し、床面に当接する複数の脚が設けられた第１の脚部と、
前記伸縮部及び前記第１の脚部を介して前記座席部に接合し、係留板が備えられた第２の脚部とを有し、
前記座席部に前記人が着席すると前記伸縮部が縮んで前記座席部が降下し前記係留板が床面に当接し、前記座席部から前記人が離席すると前記伸縮部が伸びて前記座席部が上昇し前記係留板が前記床面から離間すること
を特徴とする椅子。
【請求項３】
人が着席する座席部と、
前記座席部と接合し、所定の伸縮性を有する伸縮部材を備え床面に当接する複数の脚が設けられた第１の脚部と、
前記第１の脚部に接合し、係留板が備えられた第２の脚部とを有し、
前記座席部に前記人が着席すると前記伸縮部材が縮んで前記座席部が降下し前記係留板が床面に当接し、前記座席部から前記人が離席すると前記伸縮部材が伸びて前記座席部が上昇し前記係留板が前記床面から離間すること
を特徴とする椅子。
【請求項４】
前記第２の脚部は、前記第１の脚部及び前記伸縮部を貫通して前記座席部に接合していること
を特徴とする請求項２に記載の椅子。
【請求項５】
前記第２の脚部は、前記第１の脚部に接合していること
を特徴とする請求項３に記載の椅子。
【請求項６】
前記係留板は、前記床面に当接する部分が円形状、楕円形状、矩形状、多角形状、又はそれらの形状の組み合わせから形成されていること
を特徴とする請求項２又は請求項３に記載の椅子。
【請求項７】
前記第１の脚部は、前記複数の脚の少なくとも１つ以上に回動手段が備えられていること
を特徴とする請求項２又は請求項３に記載の椅子。
【請求項８】
前記回動手段は、車輪、ボール、又はそれらの組み合わせから成ること
を特徴とする請求項１又は請求項７に記載の椅子。
【請求項９】
前記座席部又は前記脚部は、前記座席部の座高を調整する高さ調整機構を備えていること
を特徴とする請求項１に記載の椅子。
【請求項１０】
前記座席部又は前記第１の脚部は、前記人が腰を掛ける前の前記座席部の座高を調整する高さ調整機構を備えていること
を特徴とする請求項２又は請求項３に記載の椅子。
【請求項１１】
前記第２の脚部は、前記人が腰を掛けた後の前記座席部の座高を調整する高さ調整機構を備えていること
を特徴とする請求項２又は請求項３に記載の椅子。
【請求項１２】
前記伸縮部は、ゴム、バネ、又はそれらの組み合わせから成ること
を特徴とする請求項２に記載の椅子。
【請求項１３】
前記伸縮部材は、ゴム、バネ、又はそれらの組み合わせから成ること
を特徴とする請求項３に記載の椅子。
【請求項１４】
前記座席部は、前記座席部の裏面に円筒形状から成る回転台が接合され、前記回転台に挿入された円柱形状から成る支持柱により回動可能に設けられていること
を特徴とする請求項１乃至請求項３のいずれか一項に記載の椅子。
【請求項１５】
前記座席部は、所定の角度の傾斜を設けられていること
を特徴とする請求項１乃至請求項３のいずれか一項に記載の椅子。